(57)【要約】【課題】辞書情報としての生体情報の登録を利用者が所持する携帯電話機などの携帯端末装置から事前に行なうことが可能な生体照合システムを提供する。【解決手段】顔画像などの生体情報を用いて利用者が本人であるか否かを判定する生体照合システムにおいて、携帯電話機などの携帯端末装置から辞書情報としての生体情報を登録可能とした。【選択図】      図１
2006135679.tif 000002
【特許請求の範囲】
【請求項１】
利用者が所持し、利用者固有の生体情報を辞書情報として登録するための携帯端末装置と、この携帯端末装置と通信可能に設けられ、利用者により入力される利用者の固有の生体情報と前記携帯端末装置から送信される生体情報とを照合することにより当該利用者は本人であるか否かを判定する生体照合装置とを有して構成され、
前記携帯端末装置は、
あらかじめ取得された利用者の固有の生体情報を辞書情報として前記生体照合装置へ送信する第１の送信手段を具備し、
前記生体照合装置は、
前記携帯端末装置の第１の送信手段により送信される生体情報を受信する受信手段と、
この受信手段により受信された生体情報を辞書情報として記憶する辞書記憶手段と、
利用者の固有の生体情報を取得する第２の生体情報取得手段と、
この第２の生体情報取得手段により取得された生体情報と前記辞書記憶手段に記憶された辞書情報とを照合することにより当該利用者は本人であるか否かを判定する第１の照合手段とを具備したことを特徴とする生体照合システム。
【請求項２】
利用者が所持し、利用者固有の生体情報を辞書情報として登録するための携帯端末装置と、この携帯端末装置と通信可能に設けられ、利用者により入力される利用者の固有の生体情報と前記携帯端末装置から送信される生体情報とを照合することにより当該利用者は本人であるか否かを判定する生体照合装置とを有して構成され、
前記携帯端末装置は、
利用者の固有の生体情報を取得する第１の生体情報取得手段と、
この第１の生体情報取得手段により取得された生体情報を辞書情報として前記生体照合装置へ送信する第１の送信手段とを具備し、
前記生体照合装置は、
前記携帯端末装置の第１の送信手段により送信される生体情報を受信する受信手段と、
この受信手段により受信された生体情報を辞書情報として記憶する辞書記憶手段と、
利用者の固有の生体情報を取得する第２の生体情報取得手段と、
この第２の生体情報取得手段により取得された生体情報と前記辞書記憶手段に記憶された辞書情報とを照合することにより当該利用者は本人であるか否かを判定する第１の照合手段とを具備したことを特徴とする生体照合システム。
【請求項３】
前記生体照合装置は、さらに、
生体情報の登録を許可したくない人物の生体情報をあらかじめ記憶している不許可者情報記憶手段と、
前記受信手段により受信された生体情報と前記不許可者情報記憶手段に記憶された生体情報とを照合することにより当該利用者は登録不許可者であるか否かを判定する第２の照合手段とを具備し、
前記辞書記憶手段は、前記第２の照合手段により登録不許可者でないと判定された場合、前記受信手段により受信された生体情報を辞書情報として記憶することを特徴とする請求項１または請求項２記載の生体照合システム。
【請求項４】
前記生体照合装置は、さらに、
前記第１の照合手段の判定結果および前記第２の照合手段の判定結果を前記携帯端末装置へ送信する第２の送信手段を具備し、
前記携帯端末装置は、さらに、
前記生体照合装置の第２の送信手段により送信される判定結果を受信し、この受信した判定結果を表示する表示手段を具備したことを特徴とする請求項３記載の生体照合システム。
【請求項５】
施設を利用する利用者が所持し、利用者固有の生体情報を辞書情報として登録するための携帯端末装置と、この携帯端末装置と通信可能で、前記施設の入口に設けられ、利用者により入力される利用者の固有の生体情報と前記携帯端末装置から送信される生体情報とを照合することにより当該利用者は本人であるか否かを判定する生体照合装置と、この生体照合装置の判定結果に基づき前記施設の入口に設けられた入退場用のゲートを開閉制御するゲート制御手段とを有して構成され、
前記携帯端末装置は、
あらかじめ取得された利用者の固有の生体情報を辞書情報として前記生体照合装置へ送信する第１の送信手段を具備し、
前記生体照合装置は、
前記携帯端末装置の第１の送信手段により送信される生体情報を受信する受信手段と、
この受信手段により受信された生体情報を辞書情報として記憶する辞書記憶手段と、
利用者の固有の生体情報を取得する第２の生体情報取得手段と、
この第２の生体情報取得手段により取得された生体情報と前記辞書記憶手段に記憶された辞書情報とを照合することにより当該利用者は本人であるか否かを判定する第１の照合手段とを具備したことを特徴とする入退場管理システム。
【請求項６】
施設を利用する利用者が所持し、利用者固有の生体情報を辞書情報として登録するための携帯端末装置と、この携帯端末装置と通信可能で、前記施設の入口に設けられ、利用者により入力される利用者の固有の生体情報と前記携帯端末装置から送信される生体情報とを照合することにより当該利用者は本人であるか否かを判定する生体照合装置と、この生体照合装置の判定結果に基づき前記施設の入口に設けられた入退場用のゲートを開閉制御するゲート制御手段とを有して構成され、
前記携帯端末装置は、
利用者の固有の生体情報を取得する第１の生体情報取得手段と、
この第１の生体情報取得手段により取得された生体情報を辞書情報として前記生体照合装置へ送信する第１の送信手段とを具備し、
前記生体照合装置は、
前記携帯端末装置の第１の送信手段により送信される生体情報を受信する受信手段と、
この受信手段により受信された生体情報を辞書情報として記憶する辞書記憶手段と、
利用者の固有の生体情報を取得する第２の生体情報取得手段と、
この第２の生体情報取得手段により取得された生体情報と前記辞書記憶手段に記憶された辞書情報とを照合することにより当該利用者は本人であるか否かを判定する第１の照合手段とを具備したことを特徴とする入退場管理システム。
【請求項７】
前記携帯端末装置は、さらに、
前記施設の利用時間を入力する利用時間入力手段を具備し、
前記第１の送信手段は、前記第１の生体情報取得手段により取得された生体情報と前記利用時間入力手段により入力された利用時間とを対応させて前記生体照合装置へ送信し、
前記生体照合装置は、さらに、
前記受信手段は、前記携帯端末装置の第１の送信手段により送信される生体情報および利用時間を受信し、
前記辞書記憶手段は、前記受信手段により受信された生体情報と利用時間とを対応させて記憶し、
前記第１の照合手段により照合処理を行なった時間が前記辞書記憶手段に記憶された対応する利用時間内であるか否かを判定する判定手段をさらに具備し、
前記ゲート制御手段は、
前記第１の照合手段により当該利用者は本人であると判定され、かつ、前記判定手段により第１の照合手段により照合処理を行なった時間が辞書記憶手段に記憶された対応する利用時間内であると判定された場合、前記入退場用のゲートを開閉制御することを特徴とする請求項５または請求項６記載の入退場管理システム。
【請求項８】
前記生体照合装置は、さらに、
生体情報の登録を許可したくない人物の生体情報をあらかじめ記憶している不許可者情報記憶手段と、
前記受信手段により受信された生体情報と前記不許可者情報記憶手段に記憶された生体情報とを照合することにより当該利用者は登録不許可者であるか否かを判定する第２の照合手段とを具備し、
前記辞書記憶手段は、前記第２の照合手段により登録不許可者でないと判定された場合、前記受信手段により受信された生体情報を辞書情報として記憶することを特徴とする請求項７記載の入退場管理システム。
【請求項９】
前記生体照合装置は、さらに、
前記第１の照合手段の判定結果、前記第２の照合手段の判定結果、前記判定手段の判定結果を前記携帯端末装置へ送信する第２の送信手段を具備し、
前記携帯端末装置は、さらに、
前記生体照合装置の第２の送信手段により送信される判定結果を受信し、この受信した判定結果を表示する表示手段を具備したことを特徴とする請求項８記載の入退場管理システム。
【発明の詳細な説明】
【技術分野】
【０００１】
本発明は、たとえば、入退場管理システムなどにおいて、利用者（人物）の顔画像、指紋画像、虹彩情報、掌形画像、指画像、音声情報、静脈情報などの生体情報を用いて当該利用者が本人であるか否かを判定する生体照合システム、および、この生体照合システムを用いて図書館、遊園地、映画館、公民館などの施設に対する入退場を管理する入退場管理システムに関する。
【背景技術】
【０００２】
一般に、この種の生体照合システムは、照合対象となる人物（利用者）の生体情報をカメラやセンサなどを用いて取得し、この取得した生体情報から得られる当該人物固有の特徴情報を辞書情報として辞書記憶手段にあらかじめ記憶（登録）しておく。
【０００３】
そして、照合時には、照合対象となる人物の生体情報をカメラやセンサなどを用いて再度取得し、この取得した生体情報から得られる当該人物固有の特徴情報を辞書記憶手段にあらかじめ記憶されている辞書情報と照合することにより、当該人物は本人であるか否かを判定する。たとえば、入力された生体情報が辞書情報と類似しているかどうかを評価し、類似性が高い場合には当該人物は登録者（本人）であると判定し、類似性が低い場合には未登録者（本人ではない）と判定する（たとえば、特許文献１参照）。
【０００４】
このような生体照合システムにおける最初の辞書情報としての生体情報の登録方法は、当該生体照合システムを管理する権限を持った管理者および登録者（利用者）の立ち会いのもと、生体照合を実施する生体照合端末装置が設置された場所において登録作業を行なうことが前提となっている。
【特許文献１】２００３−１４１５４２号公報
【発明の開示】
【発明が解決しようとする課題】
【０００５】
しかし、従来の生体照合システムにおける辞書情報の登録方法は、上述したように当該生体照合システムを管理する権限を持った管理者が立ち会って管理者の管理のもと、生体照合を実施する生体照合端末装置が設置された場所で、決められた時間内において登録作業を行なう必要があり、一般利用者が利用する図書館などの施設においては、あらかじめ全ての一般利用者を登録することは極めて困難である。
【０００６】
そこで、本発明は、辞書情報としての生体情報の登録を利用者が所持する携帯電話機などの携帯端末装置から事前に行なうことが可能な生体照合システムおよび入退場管理システムを提供することを目的とする。
【課題を解決するための手段】
【０００７】
本発明の生体照合システムは、利用者が所持し、利用者固有の生体情報を辞書情報として登録するための携帯端末装置と、この携帯端末装置と通信可能に設けられ、利用者により入力される利用者の固有の生体情報と前記携帯端末装置から送信される生体情報とを照合することにより当該利用者は本人であるか否かを判定する生体照合装置とを有して構成され、前記携帯端末装置は、あらかじめ取得された利用者の固有の生体情報を辞書情報として前記生体照合装置へ送信する第１の送信手段を具備し、前記生体照合装置は、前記携帯端末装置の第１の送信手段により送信される生体情報を受信する受信手段と、この受信手段により受信された生体情報を辞書情報として記憶する辞書記憶手段と、利用者の固有の生体情報を取得する第２の生体情報取得手段と、この第２の生体情報取得手段により取得された生体情報と前記辞書記憶手段に記憶された辞書情報とを照合することにより当該利用者は本人であるか否かを判定する第１の照合手段とを具備している。
【０００８】
また、本発明の入退場管理システムは、施設を利用する利用者が所持し、利用者固有の生体情報を辞書情報として登録するための携帯端末装置と、この携帯端末装置と通信可能で、前記施設の入口に設けられ、利用者により入力される利用者の固有の生体情報と前記携帯端末装置から送信される生体情報とを照合することにより当該利用者は本人であるか否かを判定する生体照合装置と、この生体照合装置の判定結果に基づき前記施設の入口に設けられた入退場用のゲートを開閉制御するゲート制御手段とを有して構成され、前記携帯端末装置は、あらかじめ取得された利用者の固有の生体情報を辞書情報として前記生体照合装置へ送信する第１の送信手段を具備し、前記生体照合装置は、前記携帯端末装置の第１の送信手段により送信される生体情報を受信する受信手段と、この受信手段により受信された生体情報を辞書情報として記憶する辞書記憶手段と、利用者の固有の生体情報を取得する第２の生体情報取得手段と、この第２の生体情報取得手段により取得された生体情報と前記辞書記憶手段に記憶された辞書情報とを照合することにより当該利用者は本人であるか否かを判定する第１の照合手段とを具備している。
【発明の効果】
【０００９】
本発明によれば、辞書情報としての生体情報の登録を利用者が所持する携帯電話機などの携帯端末装置から事前に行なうことが可能な生体照合システムおよび入退場管理システムを提供できる。
【発明を実施するための最良の形態】
【００１０】
以下、本発明の実施の形態について図面を参照して説明する。  
なお、以下の説明では、人物の生体情報として顔画像を用いた場合を例として述べるが、顔画像以外に、指紋画像、虹彩情報、掌形画像、指画像、静脈情報、音声情報などの他の生体情報を用いても同様に実施できる。
【００１１】
図１は、本実施の形態に係る生体照合システムが適用される入退場管理システムの構成を概略的に示すものである。この入退場管理システムは、たとえば、施設を利用する利用者が所持し、利用者固有の生体情報（顔画像）を辞書情報として登録するための携帯端末装置としての携帯電話機１、この携帯電話機１と無線あるいは有線で通信可能で、施設の入口に設けられ、利用者により入力される利用者の顔画像と携帯電話機１から送信される顔画像とを照合することにより当該利用者は本人であるか否かを判定する生体照合装置２、および、この生体照合装置２の判定結果に基づき施設の入口に設けられた入退場用のゲート３を開閉制御するゲート制御手段としてのゲート制御部４を有して構成されている。
【００１２】
携帯電話機１は、たとえば、利用者の顔画像（少なくとも顔を含んでいる画像）を撮像して入力する生体情報取得手段としてのデジタルカメラ１１、各種情報（施設の利用時間等）を入力するキーボード１２、各種操作情報やカメラ１１で撮像した画像などを表示する表示手段としての液晶表示部１３、携帯電話機能部１４および外部と通信を行なう送受信手段としての通信部１５などを有して構成されている。
【００１３】
生体照合装置２は、たとえば、入退場管理を行なう施設の入口に設置された生体照合端末装置５、および、この生体照合端末装置５と通信回線６を介して接続された生体照合サーバ７を有して構成されている。
【００１４】
生体照合端末装置５は、たとえば、利用者の顔画像（少なくとも顔を含んでいる画像）を撮像して入力する生体情報取得手段としてのテレビカメラ２１、各種操作情報やカメラ２１で撮像した画像などを表示したり各種情報を入力したりするタッチパネル付き液晶表示部（表示手段、入力手段）２２、および、生体照合サーバ７と通信を行なう送受信手段としての通信部２３などを有して構成されている。
【００１５】
生体照合サーバ７は、たとえば、携帯電話機１と通信を行なう送受信手段としての通信部２４、生体照合端末装置５と通信を行なう送受信手段としての通信部２５、各種情報を記憶するための記憶手段としての記憶部２６、および、各種情報処理（顔画像の特徴抽出、照合、判定処理等）を行なったり全体的な制御を行なったりする制御手段としての制御部２７などを有して構成されている。
【００１６】
記憶部２６には、たとえば、辞書情報および施設の利用時間を記憶する辞書記憶手段としての利用者データテーブル２８、生体情報の登録を許可したくない人物の生体情報を記憶する不許可者情報記憶手段としての利用不許可者データテーブル２９が格納されている。
【００１７】
利用者データテーブル２８は、たとえば、図２に示すように、携帯電話機１から送信された辞書情報としての生体情報および施設の利用時間が対応して記憶されている。  
利用不許可者データテーブル２９は、いわゆるブラックリストであり、たとえば、図３に示すように、顔画像の登録を許可したくない人物（当該施設の利用を許可したくない人物）の顔画像が記憶されている。
【００１８】
次に、このような構成において動作を説明する。  
なお、以下の説明では、たとえば、図書館における入退場管理を行なうものとし、生体照合端末装置５は図書館の入口に設置され、生体照合サーバ７は図書館内に設置されるものとする。
【００１９】
まず、辞書情報としての生体情報の事前登録処理について、図４に示すフローチャートを参照して説明する。  
利用者は、自宅（あるいは、図書館に向かう途中でもよい）で、携帯電話機１のカメラ１１により自分の顔画像を撮像して入力する（ステップＳ１）。ここに、ステップＳ１の処理が本発明における第１の生体情報取得手段に対応している。  
次に、携帯電話機１のキーボード１２により図書館の利用時間を、たとえば１０：００〜１５：００というように入力する（ステップＳ２）。ここに、ステップＳ２の処理が本発明における利用時間入力手段に対応している。
【００２０】
次に、携帯電話機１のキーボード１２によりあらかじめ定められた操作を行ない、生体照合サーバ７に対してアクセスすることにより、入力した顔画像および利用時間を対応させて生体照合サーバ７へ送信する（ステップＳ３）。ここに、ステップＳ３の処理が本発明における第１の送信手段に対応している。
【００２１】
生体照合サーバ７は、携帯電話機１から送信された顔画像および利用時間を受信する（ステップＳ４）。ここに、ステップＳ４の処理が本発明における受信手段に対応している。  
次に、生体照合サーバ７は、ステップＳ４で受信した顔画像を利用不許可者データテーブル２９内の各顔画像とそれぞれ照合し（ステップＳ５）、一致する画像が存在しなければ（ステップＳ６）、図２に示すように、ステップＳ４で受信した顔画像および利用時間を対応させて利用者データテーブル２８に記憶する（ステップＳ７）。ここに、ステップＳ５，Ｓ６の処理が本発明における第２の照合手段に対応している。  
なお、受信した顔画像はそのまま辞書情報として利用者データテーブル２８に記憶してもよいが、通常、顔画像から固有の特徴情情報を抽出して、その特徴情報を辞書情報として利用者データテーブル２８に記憶される。
【００２２】
次に、生体照合サーバ７は、携帯電話機１に対し顔画像を正常に登録した旨の登録結果を送信する（ステップＳ８）。ここに、ステップＳ８の処理が本発明における第２の送信手段に対応している。  
携帯電話機１は、登録結果を受信すると、その登録結果を表示部１３に表示する（ステップＳ９）。ここに、ステップＳ９の処理が本発明における表示手段に対応している。
【００２３】
ステップＳ５，Ｓ６における照合の結果、ステップＳ４で受信した顔画像と一致する画像が利用不許可者データテーブル２９に存在する場合、生体照合サーバ７は、携帯電話機１に対し顔画像の登録を許可できない旨の登録結果を送信する（ステップＳ１０）。ここに、ステップＳ１０の処理が本発明における第２の送信手段に対応している。携帯電話機１は、登録結果を受信すると、その登録結果を表示部１３に表示する（ステップＳ９）。
【００２４】
次に、生体情報の照合処理について、図５に示すフローチャートを参照して説明する。  
図書館に到着した利用者は、生体照合端末装置５のカメラ２１に対して顔を向けることにより、カメラ２１は当該利用者の顔画像を撮像して入力する（ステップＳ２１）。ここに、ステップＳ２１の処理が本発明における第２の生体情報取得手段に対応している。
【００２５】
次に、生体照合端末装置５は、カメラ２１で取得した顔画像を生体照合サーバ７へ送信する（ステップＳ２２）。生体照合サーバ７は、生体照合端末装置５から送信された顔画像を受信する（ステップＳ２３）。  
次に、生体照合サーバ７は、ステップＳ２３で受信した顔画像と利用者データテーブル２８内の各顔画像（辞書情報）とをそれぞれ照合することにより、両情報の類似度を求め、求めた類似度が閾値よりも高い場合には当該利用者は登録者（本人）であると判定し、求めた類似度が閾値よりも低い場合には未登録者（本人ではない）と判定する（ステップＳ２４，Ｓ２５）。ここに、ステップＳ２４，Ｓ２５の処理が本発明における第１の照合手段に対応している。
【００２６】
ステップＳ２４，Ｓ２５における判定の結果、当該利用者は本人である場合、生体照合サーバ７は、利用者データテーブル２８内の当該利用者が本人であるとの判定結果が得られた辞書情報と対応して格納されている利用時間と現在時刻とを照合することにより、当該照合処理はあらかじめ登録されている利用時間内であるか否かを判定する（ステップＳ２６）。ここに、ステップＳ２６の処理が本発明における判定手段に対応している。
【００２７】
ステップＳ２６における判定の結果、当該照合処理は登録された利用時間内である場合、生体照合サーバ７は、生体照合端末装置５に対し入場許可の判定結果を送信する（ステップＳ２７）。  
生体照合端末装置５は、判定結果を受信すると、その登録結果を表示部２２に表示する（ステップＳ２８）。
【００２８】
また、ステップＳ２６における判定の結果、当該照合処理は登録された利用時間内である場合、生体照合サーバ７は、ゲート制御部４に対し「ゲート開」の信号を送信する。これにより、ゲート制御部４は、図書館の入口に設けられたゲート３を開いて当該利用者の通行（入場）を許可する（ステップＳ２９）。ここに、ステップＳ２９の処理が本発明におけるゲート制御手段に対応している。
【００２９】
ステップＳ２４，Ｓ２５における判定の結果、当該利用者は本人でない場合、あるいは、ステップＳ２６における判定の結果、当該照合処理は登録された利用時間内でない場合、生体照合サーバ７は、生体照合端末装置５に対し入場拒否の判定結果を送信する（ステップＳ３０）。  
生体照合端末装置５は、判定結果を受信すると、その登録結果を表示部２２に表示する（ステップＳ３１）。
【００３０】
また、ステップＳ２４，Ｓ２５における判定の結果、当該利用者は本人でない場合、あるいは、ステップＳ２６における判定の結果、当該照合処理は登録された利用時間内でない場合、生体照合サーバ７は、ゲート制御部４に対し「ゲート閉」の信号を送信する。これにより、ゲート制御部４は、図書館の入口に設けられたゲート３を閉じたままに保持して当該利用者の通行（入場）を拒否する（ステップＳ３２）。
【００３１】
以上詳述したように、上記実施の形態によれば、たとえば、図書館、遊園地、映画館、公民館など生体照合による入退場管理システムが設置可能な共用施設を利用する際、利用者が所持する携帯電話機などの携帯端末装置から生体照合で使用する生体情報（辞書情報）を事前に登録することにより、従来技術では行なわなければならなかった生体照合端末装置などが設置された場所へ出向いて登録する作業がなく、利用者が所持する携帯端末装置から利用する場合のみに場所や時間を問わず事前に登録することが可能となり、利用者による利便性が著しく向上する。  
また、利用する施設の利用時間が指定可能となることにより、利用者による利用施設の事前予約も可能となり、より一層利便性が向上する。
【００３２】
なお、利用する施設の利用時間は必ずしも指定する必要はなく、必要に応じて行なえばよい。  
また、生体照合装置は、生体照合端末装置および生体照合サーバから構成される場合について説明したが、必ずしも２つの装置に分ける必要はなく、これらを１つの装置に一体化してもよい。
【００３３】
さらに、前記実施の形態では、携帯電話機にデジタルカメラなどの生体情報取得手段を設けることで、顔画像などの生体情報を取得し、この取得した生体情報を生体照合サーバへ送信する場合について説明したが、本発明はこれに限定されるものではなく、たとえば、携帯電話機とは別体のデジタルカメラなどの生体情報取得手段を用いて顔画像などの生体情報をあらかじめ取得し、この取得した生体情報を携帯電話機内の記憶手段に一時記憶し、この記憶した生体情報を生体照合サーバへ送信する場合にも同様に適用できる。
【図面の簡単な説明】
【００３４】
【図１】本発明の本実施の形態に係る生体照合システムが適用される入退場管理システムの構成を概略的に示すブロック図。
【図２】利用者データテーブルを説明する図。
【図３】利用不許可者データテーブルを説明する図。
【図４】辞書情報としての生体情報の事前登録処理について説明するフローチャート。
【図５】生体情報の照合処理について説明するフローチャート。
【符号の説明】
【００３５】
１…携帯電話機（携帯端末装置）、２…生体照合装置、３…入退場用のゲート、４…ゲート制御部（ゲート制御手段）、５…生体照合端末装置、６…通信回線、７…生体照合サーバ、１１…デジタルカメラ（生体情報取得手段）、１２…キーボード（利用時間入力手段）、１３…液晶表示部（表示手段）、１４…携帯電話機能部、１５…通信部（送受信手段）、２１…テレビカメラ（生体情報取得手段）、２２…タッチパネル付き液晶表示部（表示手段、入力手段）、２３，２４，２５…通信部（送受信手段）、２６…記憶部（記憶手段）、２７…制御部（制御手段）、２８…利用者データテーブル（辞書記憶手段）、２９…利用不許可者データテーブル（不許可者情報記憶手段）。
【図１】
2006135679.tif 000003
【図２】
2006135679.tif 000004
【図３】
2006135679.tif 000005
【図４】
2006135679.tif 000006
【図５】
2006135679.tif 000007